(57)【要約】【課題】箱本体に開閉可能に取付けられた扉の開閉に伴う衝撃を緩和するために用いる扉の緩衝装置において、軸が貫通する軸案内部材のような部材を用いる必要を無くし、軸受部の偏摩耗が発生せず耐久性を高めることができ、また部品点数が少なく単純な構造とする。【解決手段】箱本体（１０）および扉（１２）の一方に保持され扉の開閉中心線に対する垂直平面上で揺動可能なロッド部材（２２）と、箱本体および扉の他方に保持され、ロッド部材の揺動方向に長い一対の長孔（４０）が円周方向に形成された略有底円筒状のディスク収容部（３６）を有するケース本体（２８）と、ディスク収容部にその円周方向へ回動可能に収納されロッド部材を挟む円形の一対の摩擦ディスク（３０，３２）と、ディスク収容部に収容されこれら摩擦ディスクをロッド部材に押圧するばね（３４）と、を備える。【選択図】      図５
2004360291.tif 000002
【特許請求の範囲】
【請求項１】
箱本体に開閉可能に取付けられた扉の開閉に伴う衝撃を緩和するために用いる扉の緩衝装置において、
前記箱本体および扉の一方に保持され前記扉の開閉中心線に対する垂直平面上で揺動可能なロッド部材と、
前記箱本体および扉の他方に保持され、前記ロッド部材の揺動方向に長い一対の長孔が円周方向に形成された略有底円筒状のディスク収容部を有するケース本体と、
前記ディスク収容部にその円周方向へ回動可能に収納され前記ロッド部材を挟む円形の一対の摩擦ディスクと、
前記ディスク収容部に収容されこれら摩擦ディスクを前記ロッド部材に押圧するばねと、
を備えることを特徴とする扉の緩衝装置。
【請求項２】
少なくとも一方の摩擦ディスクには、ロッド部材が係入する長溝が形成され、一対の摩擦ディスクの外周面がディスク収容部の長孔に内側から臨んでいる請求項１の扉の緩衝装置。
【請求項３】
一方の摩擦ディスクはディスク収容部の内底面に接触し、他方の摩擦ディスクと箱本体または扉側のケース本体取付面との間にばねが縮装されている請求項１または２の扉の緩衝装置。
【請求項４】
一方の摩擦ディスクは、ディスク収容部の内底面の中央付近で接触しディスク収容部の内底面に対して僅かに傾斜可能である請求項３の扉の緩衝装置。
【請求項５】
摩擦ディスクはディスク収容部内で少なくともロッド部材の長手方向に僅かに移動可能であり、一方の摩擦ディスクとディスク収容部の内底面とにロッド部材の一方向への摺動に伴う前記一方のディスクの移動によりこの一方のディスクを前記内底面から離隔させるカム機構が形成されている請求項３または４の扉の緩衝装置。
【発明の詳細な説明】
【０００１】
【発明の属する技術分野】
この発明は、物入箱などの扉を開閉する時に生じる衝撃を緩和して静かに開閉できるようにするために用いる扉の緩衝装置に関するものである。
【０００２】
【従来の技術】
子供のおもちゃ箱や事務機械等を収容する物入箱にあって、箱の上面に上方へ開閉するように扉（あるいは蓋板、以下単に扉という）を設けたものがある。このような扉では通常後縁を蝶番で箱本体に結合し、前縁を上方へ開いて前後に傾ける構造としている。また扉の左右いずれか一方の縁を箱本体に蝶番により結合し、他方の縁を上方へ開いて言わば左右方向に傾けるものもある。
【０００３】
このように前後あるいは左右の上方へ開く扉にあっては、扉を閉じる時に扉自身の重みが扉を閉じる方向に作用するため、扉が急に閉じて箱本体に激しく当たり、大きな衝撃が生じることがあり得る。この衝撃は扉が重い程大きくなる。そこでこのような衝撃を防ぐために扉と箱本体との間に緩衝器を設けることが提案されている（例えば特許文献１参照）。
【０００４】
【特許文献１】
実開昭６２−１９３７０号
【０００５】
この特許文献１には、扉側に上端を保持した軸（ロッド部材）を、箱本体側に回動自在に保持した軸案内部材に貫通させ、この軸案内部材を扉の開閉に伴って回転させると共に、この軸案内部材内に収容したライニングをばねで軸に押圧することによって軸に摺動抵抗を付与するものが示されている。
【０００６】
【発明が解決しようとする課題】
この構造のものでは軸の進入・退出動に伴って軸に加わる抵抗の反力が軸案内部材に直接加わることになる。一方この軸案内部材は箱本体側に固定したケース本体に対して軸受部を介して回転可能に保持されている。ここに軸の揺動平面と軸受部とは軸案内部材の中心軸方向に離れている。このため軸案内部材に軸から加わる力の方向は、この軸案内部材の軸受部に対して偏位することになる。
【０００７】
また軸は軸案内部材の中心軸に垂直な平面内で揺動する位置に取付ける必要があるが、組立時に軸を正確に位置決めするのが困難である。このため軸の取付位置が不正確になり易く、この場合には前記軸受部に軸受部を傾ける方向に無理な力が加わり易いことにもなる。
【０００８】
通常軸案内部材やケース本体は合成樹脂で作られ、この軸受部は両者が面接触するように構成される。この軸受部に前記したような軸の進入・退出に伴う無理な力が加わると、軸受部に偏摩耗が生じ易く、その耐久性が悪くなるという問題があった。また軸案内部材が外側に露出しているため、ここに荷物等が当たって軸案内部材やその軸受部を傷め易いという問題もあった。
【０００９】
この発明はこのような事情に鑑みなされたものであり、軸が貫通する軸案内部材のような部材を用いる必要が無くなり、軸受部の偏摩耗が発生せず耐久性を高めることが可能であり、また部品点数が少なく単純な構造とすることができる扉の緩衝装置を提供することを目的とする。
【００１０】
【発明の構成】
この発明によればこの目的は、箱本体に開閉可能に取付けられた扉の開閉に伴う衝撃を緩和するために用いる扉の緩衝装置において、前記箱本体および扉の一方に保持され前記扉の開閉中心線に対する垂直平面上で揺動可能なロッド部材と、前記箱本体および扉の他方に保持され、前記ロッド部材の揺動方向に長い一対の長孔が円周方向に形成された略有底円筒状のディスク収容部を有するケース本体と、前記ディスク収容部にその円周方向へ回動可能に収納され前記ロッド部材を挟む円形の一対の摩擦ディスクと、前記ディスク収容部に収容されこれら摩擦ディスクを前記ロッド部材に押圧するばねと、を備えることを特徴とする扉の緩衝装置、により達成される。
【００１１】
摩擦ディスクの少なくとも一方にはロッド部材が係入して摺動する長溝を形成しておけば、２枚の摩擦ディスクの間隙が小さくなる。このためディスク収容部の長孔に内側から臨む２枚の摩擦ディスクの外周面の間隙が小さくなり、ここに異物が入りにくくなる。
【００１２】
一方の摩擦ディスクをディスク収容部の内底面に摺接させ、他方の摩擦ディスクと箱本体または扉側のケース本体取付面との間にばねを縮装する構成とすれば、ばねを保持するのに箱本体または扉を利用できるので、構成の単純化と部品点数の減少に一層適する。
【００１３】
ディスク収容部の内底面側の摩擦ディスクは、この内底面の中央付近で接触するようにしておけば、摩擦ディスクはロッド部材の進入・退出に伴ってロッド部材と共に僅かに傾くことが可能になる。このためロッド部材の取付位置の許容範囲が広くなり組付けが容易になる。
【００１４】
また内底面側の摩擦ディスクをディスク収容部内で少なくともロッド部材の長手方向に僅かに移動可能としておき、このディスクと内底面とにカム機構を設け、例えば扉を閉じる時（ロッド部材の進入時）にディスクを内底面から離隔させて２枚のディスクによりロッド部材挟む力を増加させるようにすることができる。このようにすれば、扉を閉じる時にだけ大きい摩擦力を発生させて静かに閉じる一方、扉を開く時には摩擦力を小さくして軽い力で扉を開くことが可能になる。
【００１５】
【作用】
箱本体および扉の一方に一端を保持したロッド部材は、箱本体および扉の他方に固定したケース本体の一対の長孔に挿通される。この時に、ロッド部材を、ケース本体のディスク収容部に収容した一対の摩擦ディスクの間に挟持し、両摩擦ディスクをばねで押圧した状態でケース本体を固定する。
【００１６】
扉を開閉すればロッド部材は一対の摩擦ディスクの間を摺動しつつ、ディスク収容部の周方向に回動しながらケース本体の長孔内を移動する。この時摩擦ディスクはロッド部材に適度な摺動抵抗を付与するから、扉は静かに閉じることになり、扉が箱本体の開口縁に当たる際の衝撃が小さくなる。
【００１７】
ロッド部材の進入・退出に伴ってディスクに加わる力（摩擦力の反力）は、一対のディスクの外周を介してケース本体に加わる。すなわち特殊な軸受を設けることなく、２枚の円形のディスクの外周をディスク収容部の円筒状の内周面で支持する構造となっている。従って構造が簡単であり、またディスクやディスク収容部には無理な力が加わらないから耐久性が向上する。
【００１８】
【実施態様】
図１は本発明の一実施態様である緩衝装置を適用したおもちゃ箱の斜視図、図２はその緩衝装置付近を示す図、図３は図２におけるＩＩＩ−ＩＩＩ線断面図、図４は同じくＩＶ−ＩＶ線断面図、図５は分解斜視図、図６はケース本体の６面図、図７は一方の摩擦ディスクの６面図、図８は他方の摩擦ディスクの６面図である。なお図６，７，８では左右の側面図は対称であるからその一方を省いてある。
【００１９】
図１において、符号１０は木製の箱本体であり、その上面には蓋板である扉１２が上方へ開閉可能に取付けられている。すなわちこの扉１２は、その後縁が蝶番１４（図１，２参照）によって箱本体１０に結合され、その前縁側が上方へ開閉可能である。
【００２０】
箱本体１０の右側には本発明に係る緩衝装置２０が取付けられている。この緩衝装置２０は、扉１２の下面に取付けられたロッド部材２２と、箱本体１０の右の側板１０Ａの内面に固定された緩衝器本体２４とを有する。
【００２１】
ロッド部材２２は断面円形の真っ直ぐなロッドであり、その上端は止め具２６で扉１２の下面に保持されている。ここに止め具２６は、図２，３などから明らかなように、ロッド部材２２を扉１２の開閉中心軸（蝶番１４の中心軸）に直交する平面上で揺動自在とするようにロッド部材２２の上端を保持する。
【００２２】
緩衝器本体２４は図４，５に示すように、樹脂製のケース本体２８の中に、２枚の円形の摩擦ディスク３０，３２と、コイルばね３４とを収納したものである。ケース本体２８は有底円筒状のディスク収容部３６と、その開口側の周縁から外径方向に拡張するフランジ部３８とを有する。ディスク収容部３６には円周方向に長い上下一対の長孔４０，４０が形成されている。
【００２３】
摩擦ディスク３０，３２はディスク収容部３６の内径より僅かに小さい同一の外径を持った樹脂製の円板である。これらのディスク３０，３２の対向面には、前記ロッド部材２２が係入する断面略半円形の長溝３０Ａ、３２Ａが中心を横断して形成されている。なお長溝３０Ａ、３２Ａは断面はロッド部材２２の半径より僅かに浅いものとする。またこれら対向面には長溝３０Ａ、３２Ａと干渉しない位置に凸部３０Ｂと凹部３２Ｂとが形成されている。これら凸部３０Ｂと凹部３２Ｂは、ディスク３０，３２の長溝３０Ａ、３２Ａにロッド部材２２を挟んだ状態で互いに係合し、ディスク３０，３２の回転方向の位置ずれを防ぐ。
【００２４】
この緩衝器本体２４を組み立てる際は、まずディスク収容部３６の内底面３６Ａに一方のディスク３０を装入し、ロッド部材２２を長孔４０，４０に通した後、他のディスク３２を装填する。そしてディスク３０，３２の長溝３０Ａ、３２Ａにロッド部材２２を係合させるようにディスク３０，３２とロッド部材２２を位置合わせする。この時ディスク３０，３２の凸部３０Ｂと凹部３２Ｂとが係合する。この状態で、ディスク３２のロッド部材２２と反対側の面に形成したガイド３２Ｃにコイルばね３４を係合させ、ケース本体２８を箱本体１０の側板１０Ａに押し付けて保持する。
【００２５】
この状態でケース本体２８を適切な位置に位置決めし、ケース本体２８のフランジ部３８を４本の木ねじ（タッピングねじ）４２（図５参照）で側板１０Ａに固定する。このように緩衝器本体２４を箱本体１０に固定した後、ロッド部材２２の止め具２６を扉１２の下面にビス止めすればよい。
【００２６】
このように緩衝器本体２４とロッド部材２２とを組み付けた後、扉１２を開閉すれば、ロッド部材２２が２枚のディスク３０，３２の長溝３０Ａ、３２Ａに係合しつつ摺動する。この時コイルばね３４がディスク３０，３２をロッド部材２２に押圧し、所定の抵抗をロッド部材２２に付与する。このため開いた扉１２から手を離しても、扉１２は静かに閉じることになり、扉１２が箱本体１０の開口縁に強く当たって大きな衝撃が発生することがない。
【００２７】
なおロッド部材２２の止め具２４の取付け位置はできるだけ正確に決めなければならない。すなわちロッド部材２２は、扉１２の開閉中心線（蝶番１４の中心線）に直交しかつ緩衝器本体２４の長孔４０，４０を通る平面に乗るようにする。しかしロッド部材２２の位置がこの平面からずれると、扉１２の開閉に伴ってロッド部材２２はディスク３０，３２を押し開く方向に押すことになる。この実施態様ではディスク３２はコイルばね３４でロッド部材２２に押圧されているので、ディスク３０，３２などに無理な力が作用することがなく、緩衝器本体２４を傷めるおそれがない。
【００２８】
【他の実施態様】
図９は他の実施態様を示す緩衝器本体１２４の断面図である。この実施態様はケース本体１２８が有するディスク収容部１３６の内底面１３６Ａ中央に、突部１３６Ｂを設け、ディスク１３０をこの突部１３６Ｂで支持したものである。図９でロッド部材２２，ディスク３２，ばね３４は前記図１〜８に示したものと同じであるから、その説明は繰り返さない。
【００２９】
この実施態様によれば、ディスク１３０，３２は突部１３６Ｂを中心に揺動可能であるから、ロッド部材２２の進入・退出時に角度が変化してもディスク１３０，３２の揺動によってこの角度変化を吸収することができる。このため前記図１〜８に示したものに比べて緩衝器本体１２４に加わる無理な力が一層小さくなる。
【００３０】
【他の実施態様】
図１０は他の実施態様を示す緩衝器本体２２４の断面図である。この実施態様は、前記図９と同様にケース本体２２８が有するディスク収容部２３６の内底面２３６Ａの中央に、突部２３６Ｂを設ける一方、ディスク２３０にはロッド部材２２の進入方向（図１０で下方）に向かって突部２３６Ｂから離れる傾斜面２３０Ａを形成した。
【００３１】
なおディスク２３０，３２は、少なくともロッド部材２２の進退動方向に僅かに遊動可能となるように外径が決められているものとする。そしてこれら突部２３６Ｂと傾斜面２３０Ａとで、カム機構を形成するものとした。
【００３２】
このため図１０において、ロッド部材２２が下方へ移動する時には、ディスク２３０，３２が下方へ押され、これに伴ってディスク２３０の傾斜面２３０Ａが突部２３６Ｂによって、右側へ押さればね３４を圧縮する。この結果ばね３４によるロッド部材２２の押圧力が増加し、ロッド部材２２の抵抗が増える。
【００３３】
逆にロッド部材２２が上方へ移動する時には、ディスク２３０，３２が上方へ引き上げられ、これに伴いディスク２３０の傾斜面２３０Ａが突部２３６Ｂより上方へ相対移動する。このためディスク２３０が左側へ移動し、ばね３４を伸ばす。この結果ばね３４の押圧力が減少し、ロッド部材２２の抵抗が減る。
【００３４】
このようにロッド部材２２の下降時に抵抗を大きくし、ロッド部材２２の上昇時に抵抗が小さくなるから、扉１２（図１参照）を閉じる時の衝撃を十分に吸収しつつ、開く時には抵抗を小さくして軽い力で開くことが可能になる。
【００３５】
以上の各実施態様では扉１２は上方へ開閉するが、この発明はこれに限定されるものではない。例えば、扉は垂直な回転軸を中心として前後に開閉するものであってもよい。また斜めの回転軸を中心として開閉する扉であってもよい。
【００３６】
【発明の効果】
請求項１〜５の発明によれば、箱本体および扉の一方にロッド部材を扉の開閉中心線に対する垂直平面上で揺動可能に保持し、このロッド部材を箱本体および扉の他方に略有底円筒状のディスク収容部を有するケース本体を固定し、このディスク収容部に周方向に設けた一対の長孔にロッド部材を通すと共に、このディスク収容部に収容した円形の一対の摩擦ディスクでロッド部材を挟み、これら摩擦ディスクを圧縮ばねによりロッド部材に押圧するものである。
【００３７】
従ってロッド部材に付与する摩擦力の反力は２枚の摩擦ディスクの外周からディスク収容部に伝えられ、ケース本体で支持される。ここに２枚の摩擦ディスク外周はロッド部材の両側で均等にディスク収容部内周面に摺接することになるから、この摺接部分（軸受部として機能する）には常に２枚の摩擦ディスクによる均等な力が加わることになり無理な力が加わることがない。このためこの摺接部分の耐久性が向上する。
【００３８】
また扉の開閉時にロッド部材が扉の開閉中心線に垂直な平面から僅かに偏位することがあっても、ばねで押圧した摩擦ディスクが偏位することによって吸収できる。このためロッド部材の取付位置に多少の誤差が生じても摩擦ディスクなどの摺動部分（軸受部）に無理な力が加わらず、耐久性が悪くなるなどの不都合が生じない。
【００３９】
さらに摩擦ディスクなどの回動する部材はケース本体の中に収容されているから、箱の収容荷物がケース本体に接触しても摩擦ディスクやばねには当たることがない。このため摺動部分（軸受部）を傷めるおそれが無く、部品点数も少なくなる。
【００４０】
摩擦ディスクにはロッド部材が係入する長溝を形成しておけば、２枚の摩擦ディスクの間隙が小さくなる。このためディスク収容部の長孔に内側から臨む２枚の摩擦ディスクの間隙にゴミなどの異物が喰い込みにくくなる（請求項２）。
【００４１】
ばねは、ケース本体を取付ける箱本体または扉の取付面と、この取付面に対向する摩擦ディスクとの間に縮装することができる。この場合にはばねを固定するための特別な部材を設ける必要がなくなり、構成が簡単で部品点数の減少に一層適する（請求項３）。
【００４２】
ケース本体のディスク収容部の内底面とこれに対向する摩擦ディスクとは、中央付近で接触させて、摩擦ディスクを揺動可能とすれば、扉の開閉時にロッド部材の角度（扉の開閉中心線に垂直な平面に対する傾き角度）が変動しても、この変動は摩擦ディスクの傾き変化により吸収できる（請求項４）。
【００４３】
またこの内底面に対向する摩擦ディスクをロッド部材の長手方向（進退方向）に僅かに移動可能とし、この摩擦ディスクと内底面とにカム機構を設けて、ロッド部材の少なくとも一方向への移動時に摩擦ディスクを軸方向に移動させるように構成すれば、摩擦ディスクのロッド部材に対する押圧力を変化させて摩擦力を変化させることができる（請求項５）。例えば扉を閉じる時に摩擦力を大きくし、開く時の摩擦力を小さくすることができる。
【図面の簡単な説明】
【図１】本発明の適用例であるおもちゃ箱の斜視図
【図２】その緩衝装置付近を示す図
【図３】図２におけるＩＩＩ−ＩＩＩ線断面図
【図４】図２におけるＩＶ−ＩＶ線断面図
【図５】緩衝装置の分解斜視図
【図６】ケース本体の６面図
【図７】摩擦ディスクの６面図
【図８】摩擦ディスクの６面図
【図９】他の実施態様を示す断面図
【図１０】他の実施態様を示す断面図
【符号の説明】
１０  箱本体
１２  扉（蓋板）
２０  緩衝装置
２２  ロッド部材
２４  緩衝器本体
２８、１２８、２２８  ケース本体
３０  摩擦ディスク
３２  摩擦ディスク
３４  ばね
３６  ディスク収容部
３６Ａ  内底面
４０  長孔
１３６Ｂ、２３６Ｂ  突部
２３０Ａ  傾斜面（カム機構）
【図１】
2004360291.tif 000003
【図２】
2004360291.tif 000004
【図３】
2004360291.tif 000005
【図４】
2004360291.tif 000006
【図５】
2004360291.tif 000007
【図６】
2004360291.tif 000008
【図７】
2004360291.tif 000009
【図８】
2004360291.tif 000010
【図９】
2004360291.tif 000011
【図１０】
2004360291.tif 000012